(57)【要約】【課題】本発明は、名刺、印鑑、たばこ、宝石などの小物物品を収納して携帯できる、開閉蓋付きの物品収納箱を提供することを課題とする。【解決手段】物品を収納する箱本体２の上部に回動式の開閉蓋体３を設け、開閉蓋体２をその後部を支点に回動するようにして、開閉蓋体前部に係止部を設けて、開閉蓋体３をガタツキなく軽快に開閉操作して蓋のロックも簡単確実にしたもの。【選択図】図１
2010131119.tif 000002
【特許請求の範囲】
【請求項１】
物品を収納する箱本体の上部に回動式の開閉蓋体を設けたものにおいて、該箱本体の左右に平行間隙で対向配置された左右側板の前面に位置する前部枠を、左右側板の高さより低く構成して前部枠上面に挿入空間部を形成し、該箱本体の左右側板の後面に位置する後部枠を左右側板の高さより高く構成して上部に突出したマスト部を形成し、該箱本体の左右側板の底面に底面枠を配置して、箱本体の上部を開口した形態で、前部、後部、底部を密閉状に形成し、一方、該開閉蓋体の左右に、前記箱本体の厚み幅と横長さを同一にして平行間隙で対向配置された左右側板の前面に位置する前部枠を、左右側板より下方に長く垂下した舌状片に構成して、前記箱本体の挿入空間部に該舌状片を嵌入させる形態となし、該開閉蓋体の左右側板の後面に位置する後部枠を左右側板より短くして後部枠の下方にマスト挿入部を構成し、該開閉蓋体の左右側板の上面に天板枠を配置して、箱本体の下部を開口した形態で、前部、後部、上部を密閉状に形成し、これら箱本体と開閉蓋体を箱本体の後部に位置するマスト部に枢着する枢支ピンで開閉自在に結合し、箱本体前部の挿入空間部に開閉蓋体の舌状片内側の回動軌跡線上に横断位置させて棒状ピンを架設し、該棒状ピンに舌状片内側に形成した陥没溝を嵌脱自在に嵌入係止する構成にしたことを特徴とする開閉蓋付きの物品収納箱。
【請求項２】
物品を収納する箱本体の上部に回動式の開閉蓋体を設けたものにおいて、該箱本体の左右に平行間隙で対向配置された左右側板の間の前面に位置する前部枠を、左右側板の高さより低く構成して前部枠上面に挿入空間部を形成し、該箱本体の左右側板の間の後面に位置する後部枠を左右側板の高さより高く構成して上部に突出したマスト部を形成し、該箱本体の左右側板の底面に位置する底面枠を前部枠下端と後部枠下端の間に挿入配置して、箱本体の上部を開口した形態で、前部、後部、底部を密閉状に形成し、一方、該開閉蓋体の左右に、前記箱本体の厚み幅と横長さを同一にして平行間隙で対向配置された左右側板の前面に位置する前部枠を、左右側板より下方に長く垂下した舌状片に構成して、前記箱本体の挿入空間部に該舌状片を嵌入させる形態となし、該開閉蓋体の左右側板の後面に位置する後部枠を左右側板より短くして後部枠の下方にマスト挿入部を構成し、該開閉蓋体の左右側板の上面に位置する天板枠を前部枠上端と後部枠上端の間に挿入配置して、箱本体の下部を開口した形態で、前部、後部、上部を密閉状に形成し、これら箱本体と開閉蓋体を箱本体の後部に位置するマスト部に枢着する枢支ピンで開閉自在に結合し、箱本体前部の挿入空間部に開閉蓋体の舌状片内側の回動軌跡線上に横断位置させて棒状ピンを架設し、該棒状ピンに舌状片内側に形成した陥没溝を嵌脱自在に嵌入係止する構成にし、かつ開閉蓋体を上部に開放した時には開閉蓋体のマスト挿入部の頂部が箱本体のマスト部背面に接当して略くの字状の後傾姿勢に維持され箱本体の上部を大きく開口させるように構成したことを特徴とする開閉蓋付きの物品収納箱。
【請求項３】
箱本体の左右側板、前部枠、後部枠、底面枠と、開閉蓋体の左右側板、前部枠、後部枠、天板枠とを、それぞれ木製部材で構成して各部材を接着構成し、開閉蓋体の舌状片を箱本体前部の挿入空間部の棒状ピンに嵌入係止した時には、箱本体と開閉蓋体の外面が同一均平面となして段差がない平滑面を具現する構成にしたことを特徴とする請求項１に記載の開閉蓋付きの物品収納箱。
【請求項４】
開閉蓋体の後部下縁の隅部を削設して、開閉蓋体が開閉するとき箱本体の上縁に接当するのを防止する回動時の逃げ部に構成したことを特徴とする請求項１に記載の開閉蓋付きの物品収納箱。
【請求項５】
開閉蓋体の舌状片下部先端の両側隅部を削設して、箱本体の挿入空間部への嵌入操作を誘導できる構成にしたことを特徴とする請求項１に記載の開閉蓋付きの物品収納箱。
【請求項６】
開閉蓋体の舌状片内側に形成した陥没溝を形成するのに、該陥没溝の下側を緩傾斜状に構成し、箱本体側の棒状ピンを細径にしたことを特徴とする請求項１に記載の開閉蓋付きの物品収納箱。
【請求項７】
開閉蓋体の舌状片内側の陥没溝が箱本体側の棒状ピンに係止した時に舌状片の下端が箱本体の挿入空間部の下縁に接近若しくは接当するように構成したことを特徴とする請求項１に記載の開閉蓋付きの物品収納箱。
【発明の詳細な説明】
【技術分野】
【０００１】
本発明は、名刺や各種のカード類、印鑑、宝石、煙草、ＣＤやＤＶＤディスクなどの小物物品を収納して携帯できる、開閉蓋付きの物品収納箱に関するものである。
【背景技術】
【０００２】
従来の小物物品を収納する開閉蓋付きの物品収納箱として、例えば下記に示されるのが散見されるが、構成が簡単で、丈夫にして壊れにくく、携帯に便利で、開閉蓋の係止脱着が確実で、取扱いが容易である、というものにはなかなか遭遇しない状況であった。
【特許文献１】特開平１１−３０１６５９号公報「自動蓋開閉カートン」
【特許文献２】特開２０００−７９９５８号公報「開閉蓋付き容器」
【特許文献３】登録実用新案第３０２６５１９号公報「名刺収納箱」
【発明の開示】
【発明が解決しようとする課題】
【０００３】
特許文献１〜３のものは、それぞれに特徴を有するものであるが、構成が簡単で、丈夫にして壊れにくく、携帯携行に便利で、開閉蓋の係止脱着が確実で、取扱いが容易である、という点を満足する機能を有するものではなく、ここに解決課題を有するものである。
【課題を解決するための手段】
【０００４】
本発明は、前述の課題解決のために、第一に、物品を収納する箱本体の上部に回動式の開閉蓋体を設けたものにおいて、該箱本体の左右に平行間隙で対向配置された左右側板の前面に位置する前部枠を、左右側板の高さより低く構成して前部枠上面に挿入空間部を形成し、該箱本体の左右側板の後面に位置する後部枠を左右側板の高さより高く構成して上部に突出したマスト部を形成し、該箱本体の左右側板の底面に底面枠を配置して、箱本体の上部を開口した形態で、前部、後部、底部を密閉状に形成し、一方、該開閉蓋体の左右に、前記箱本体の厚み幅と横長さを同一にして平行間隙で対向配置された左右側板の前面に位置する前部枠を、左右側板より下方に長く垂下した舌状片に構成して、前記箱本体の挿入空間部に該舌状片を嵌入させる形態となし、該開閉蓋体の左右側板の後面に位置する後部枠を左右側板より短くして後部枠の下方にマスト挿入部を構成し、該開閉蓋体の左右側板の上面に天板枠を配置して、箱本体の下部を開口した形態で、前部、後部、上部を密閉状に形成し、これら箱本体と開閉蓋体を箱本体の後部に位置するマスト部に枢着する枢支ピンで開閉自在に結合し、箱本体前部の挿入空間部に開閉蓋体の舌状片内側の回動軌跡線上に横断位置させて棒状ピンを架設し、該棒状ピンに舌状片内側に形成した陥没溝を嵌脱自在に嵌入係止する構成にしたことを特徴とする。
【０００５】
従って、箱本体と開閉蓋体の構成を簡単にして頑丈に構成でき、挿入空間部構成、マスト部構成、マスト挿入部構成、舌状片構成も、箱本体と開閉蓋体の前部枠と後部枠の構成部材を巧みに加工構成することにより無駄なく簡素にして構成できる。また、開閉蓋体の開閉操作と閉塞時の係止ロック、開放時の係止解除が操作性良く簡単にできる。
【０００６】
第二に、物品を収納する箱本体の上部に回動式の開閉蓋体を設けたものにおいて、該箱本体の左右に平行間隙で対向配置された左右側板の間の前面に位置する前部枠を、左右側板の高さより低く構成して前部枠上面に挿入空間部を形成し、該箱本体の左右側板の間の後面に位置する後部枠を左右側板の高さより高く構成して上部に突出したマスト部を形成し、該箱本体の左右側板の底面に位置する底面枠を前部枠下端と後部枠下端の間に挿入配置して、箱本体の上部を開口した形態で、前部、後部、底部を密閉状に形成し、一方、該開閉蓋体の左右に、前記箱本体の厚み幅と横長さを同一にして平行間隙で対向配置された左右側板の前面に位置する前部枠を、左右側板より下方に長く垂下した舌状片に構成して、前記箱本体の挿入空間部に該舌状片を嵌入させる形態となし、該開閉蓋体の左右側板の後面に位置する後部枠を左右側板より短くして後部枠の下方にマスト挿入部を構成し、該開閉蓋体の左右側板の上面に位置する天板枠を前部枠上端と後部枠上端の間に挿入配置して、箱本体の下部を開口した形態で、前部、後部、上部を密閉状に形成し、これら箱本体と開閉蓋体を箱本体の後部に位置するマスト部に枢着する枢支ピンで開閉自在に結合し、箱本体前部の挿入空間部に開閉蓋体の舌状片内側の回動軌跡線上に横断位置させて棒状ピンを架設し、該棒状ピンに舌状片内側に形成した陥没溝を嵌脱自在に嵌入係止する構成にし、かつ開閉蓋体を上部に開放した時には開閉蓋体のマスト挿入部の頂部が箱本体のマスト部背面に接当して略くの字状の後傾姿勢に維持され箱本体の上部を大きく開口させるように構成したことを特徴とする。
【０００７】
これらより、箱本体と開閉蓋体の構成を簡単にして頑丈に構成でき、挿入空間部構成、マスト部構成、マスト挿入部構成、舌状片構成も各々の構成部材を巧みに組み合わせ構成することにより無駄なく簡素にして構成できる。また、開閉蓋体の開閉操作と閉塞時の係止ロック、開放時の係止解除が操作性良く簡単にできる。そして、開放時には開閉蓋体を略くの字状の後傾姿勢に維持され箱本体の上部を大きく開口させるようにして、物品の出し入れを容易にできる利点がある。
【０００８】
第三に、箱本体の左右側板、前部枠、後部枠、底面枠と、開閉蓋体の左右側板、前部枠、後部枠、天板枠とを、それぞれ木製部材で構成して各部材を接着構成し、開閉蓋体の舌状片を箱本体前部の挿入空間部の棒状ピンに嵌入係止した時には、箱本体と開閉蓋体の外面が同一均平面となして段差がない平滑面を具現する構成にしたことを特徴とする。
これにより、構成簡単・頑丈で軽くて手触りの良い物品収納箱が提供できるものである。
【０００９】
第四に、開閉蓋体の後部下縁の隅部を削設して、開閉蓋体が開閉するとき箱本体の上縁に接当するのを防止する回動時の逃げ部に構成したことを特徴とする。
これにより、開閉蓋の開閉操作がスムースにできる。
【００１０】
第五に、開閉蓋体の舌状片下部先端の両側隅部を削設して、箱本体の挿入空間部への嵌入操作を誘導できる構成にしたことを特徴とする。
これにより、開閉蓋の閉塞時の係止操作がスムースにできる。
【００１１】
第六に、開閉蓋体の舌状片内側に形成した陥没溝を形成するのに、該陥没溝の下側を緩傾斜状に構成し、箱本体側の棒状ピンを細径にしたことを特徴とする。
これにより、開閉蓋の閉塞時の係止ロック、解放時の係止解除がスムースにできる。
【００１２】
第七に、開閉蓋体の舌状片内側の陥没溝が箱本体側の棒状ピンに係止した時に舌状片の下端が箱本体の挿入空間部の下縁に接近若しくは接当するように構成したことを特徴とする。これにより、開閉蓋の閉塞時の係止ロックをガタツキなく確実にできる。
【発明の効果】
【００１３】
本発明によれば、箱本体と開閉蓋体の構成を簡単にして頑丈に構成でき、挿入空間部構成、マスト部構成、マスト挿入部構成、舌状片構成も各々の構成部材を巧みに加工することにより無駄なく簡素にして構成できる。また、開閉蓋体の開閉操作と閉塞時の係止ロック、開放時の係止解除が操作性良く簡単にできる。そして、開放時には開閉蓋体を略くの字状の後傾姿勢に維持され箱本体の上部を大きく開口させるようにして、物品の出し入れを容易にできる利点がある。
また、木製部材で構成すると構成簡単・頑丈で軽くて手触りの良い物品収納箱が提供できるものである。
さらに、開閉蓋の開閉操作、閉塞時の係止ロック、解放時の係止解除がスムースにできるものである。
【発明を実施するための最良の形態】
【００１４】
以下、実施例に関する図面に基づいて本発明を詳細に説明する。
図面に示す１は開閉蓋付きの物品収納箱であり、該開閉蓋付きの物品収納箱１は、木質製の板部材で構成され、物品を収納する箱本体２の上部に回動式の開閉蓋体３を設けたものである。
該箱本体２の左右に平板状の左右側板２Ａ、２Ｂが平行間隙で対向配置されており、該左右側板２Ａ、２Ｂの間の前面に位置して柱状の前部枠２Ｃが左右側板２Ａ、２Ｂの前端面と面一にして設けられ、かつ柱状の前部枠２Ｃの上部が左右側板２Ａ、２Ｂの高さより低く構成されて前部枠２Ｃの上面に挿入空間部２Ｄを形成し、該箱本体２の左右側板２Ａ、２Ｂの間の後面に位置して柱状の後部枠２Ｅが左右側板２Ａ、２Ｂの後端面と面一にして設けられ、該柱状の後部枠２Ｅを左右側板２Ａ、２Ｂの高さより高く構成して上部に突出したマスト部２Ｆを形成し、該箱本体２の左右側板の底面に位置する桁状の底面枠２Ｇを左右側板２Ａ、２Ｂの底縁と面一にした状態で、前部枠２Ｃ下端と後部枠２Ｅ下端の間に挿入配置して、箱本体の上部を開口した形態で、前部、後部、底部を左右側板２Ａ、２Ｂの周縁と面一にしてこれら前部枠２Ｃ、後部枠２Ｅ、底面枠２Ｇで密閉状に形成する。
【００１５】
一方、前記開閉蓋体３の左右に、前記箱本体２の厚み幅と横長さを同一にして平行間隙で対向配置された左右側板３Ａ、３Ｂが設けられており、該左右側板３Ａ、３Ｂの前面に位置して柱状の前部枠３Ｃが左右側板３Ａ、３Ｂの前端面と面一にして設けられ、かつ柱状の前部枠３Ｃを、左右側板３Ａ、３Ｂより下方に長く垂下した舌状片３Ｄに構成して、前記箱本体２の挿入空間部２Ｄに該舌状片３Ｄを嵌入させる形態となし、該開閉蓋体３の左右側板３Ａ、３Ｂの後面に位置して柱状の後部枠３Ｅが左右側板３Ａ、３Ｂの後端面と面一にして設けられ、該柱状の後部枠３Ｅの下部を左右側板３Ａ、３Ｂより短くして後部枠３Ｅの下方にマスト挿入部３Ｆを構成し、該開閉蓋体３の左右側板３Ａ、３Ｂの上面に位置する桁状の天板枠３Ｇを左右側板３Ａ、３Ｂの上縁と面一にした状態で、前部枠３Ｃ上端と後部枠３Ｄ上端の間に挿入配置して、箱本体３の下部を開口した形態で、前部、後部、上部を左右側板３Ａ、３Ｂの周縁と面一にしてこれら前部枠３Ｃ、後部枠３Ｅ、底面枠３Ｇで密閉状に形成する。
【００１６】
そして、これら箱本体２と開閉蓋体３を箱本体２の後部に位置するマスト部２Ｆに、開閉蓋体３のマスト挿入部３Ｆを嵌合した状態にして箱本体２と開閉蓋体３に穿設した孔を貫通して枢着する竹製または金属製の枢支ピン２Ｈで開閉自在に結合する。
また、箱本体２前部の挿入空間部２Ｄに開閉蓋体３の舌状片３Ｄ内側３Ｄ１の回動軌跡線上に横断位置させて竹製または金属製の棒状ピン２Ｉを箱本体２に穿設した孔に貫通して架設し、該棒状ピン２Ｉに舌状片内側３Ｄ１に形成した陥没溝３Ｄ２を嵌脱自在に嵌入係止する構成にしてある。
さらに、開閉蓋体３を上部に開放した時には、開閉蓋体３のマスト挿入部３Ｆの頂部３Ｆ１が箱本体２のマスト部２Ｆの背面２Ｆ１に接当して、開閉蓋体３が箱本体２に対して略くの字状の後傾姿勢に維持され、箱本体２の上部を大きく開口させるように構成されている。
【００１７】
箱本体２の左右側板２Ａ、２Ｂ、前部枠２Ｃ、後部枠２Ｅ、底面枠２Ｇと、開閉蓋体３の左右側板３Ａ、３Ｂ、前部枠３Ｃ、後部枠３Ｅ、天板枠３Ｇの材質は、それぞれ木製部材で構成してあり、各部材を接着構成し、開閉蓋体２の舌状片３Ｄを箱本体２前部の挿入空間部２Ｄの棒状ピン２Ｉに嵌入係止した時には、箱本体２と開閉蓋体３の外面が同一均平面となして段差がない平滑面を具現するように構成してある。
これにより開閉蓋付きの物品収納箱１が木質製の板部材で構成されていると、木製のやわらかな感触と段差のない平滑な状態で非常に手触り感が良好になる。
開閉蓋体３の後部下縁の隅部３Ｘを削設して、開閉蓋体３が開閉するとき箱本体２の上縁に接当するのを防止する回動時の逃げ部に構成してある。
開閉蓋体３の舌状片３Ｄ下部先端３Ｄ３の両側隅部３Ｄ４を削設して、箱本体２の挿入空間部２Ｄへの嵌入操作を誘導できる先端が先細となる傾斜構成にしてある。
開閉蓋体３の舌状片内側３Ｄ１に形成した陥没溝３Ｄ２を形成するのに、該陥没溝３Ｄ２の下側の段部３Ｄ２１を緩傾斜状に構成し、箱本体２側の棒状ピン２Ｉを陥没溝３Ｄ２に係合できる程度の細径にしてある。
開閉蓋体３の舌状片内側３Ｄ１の陥没溝３Ｄ２が箱本体２側の棒状ピン２Ｉに係止した時に舌状片３Ｄの下端３Ｄ３が箱本体２の挿入空間部２Ｄの下縁２Ｄ１に接近若しくは接当するように構成してある。これにより開閉蓋３の係合をガタツキのない状態にできる。
【実施例１】
【００１８】
上記のように、本発明の開閉蓋付きの物品収納箱１は、物品を収納する箱本体２の上部に回動式の開閉蓋体３を設けたものであり、開閉蓋体３の舌状片内側３Ｄ１の陥没溝３Ｄ２と箱本体２側の棒状ピン２Ｉとの弾性的な係脱作用により格別の蓋鍵止め構造がなくてもワンタッチで開閉蓋の開閉操作ができるものである。
開閉蓋体３の回動は、開閉蓋体３を箱本体２の後部に位置するマスト部２Ｆに、開閉蓋体３のマスト挿入部３Ｆを嵌合した状態にして箱本体２と開閉蓋体３を貫通して枢着する枢支ピン２Ｈで開閉自在に結合してあるので、箱本体２のマスト部２Ｆと開閉蓋体３のマスト挿入部３Ｆとの面接触を維持して回動するので横ガタツキのない状態で回動できる。
また、箱本体２前部の挿入空間部２Ｄに開閉蓋体３の舌状片３Ｄ内側３Ｄ１の回動軌跡線上に横断位置させて棒状ピン２Ｉを架設し、該棒状ピン２Ｉに舌状片内側３Ｄ１に形成した陥没溝３Ｄ２を嵌脱自在に嵌入係止する構成にしてあるので、舌状片３Ｄの陥没溝３Ｄ２を棒状ピン２Ｉに対して両者が弾性的に係合して止める時にパチッというロック音を発して軽快に止めることができる。また、解除するときには一方の手で箱本体２の横方向を把持して、他方の手で開閉蓋体３の舌状片３Ｄ近くの左右側板３Ａ、３Ｂを掴んで上方に引っ張れば容易に開放操作できる。あるいは他方の手で箱本体２を縦方向に把持して、一方の親指で開閉蓋体３の舌状片３Ｄ上方の前部枠３Ｃを押仕上げると容易に開放操作できる。
【００１９】
開閉蓋体３の舌状片内側３Ｄ１の陥没溝３Ｄ２が箱本体２側の棒状ピン２Ｉに係止した時に舌状片３Ｄの下端３Ｄ３が箱本体２の挿入空間部２Ｄの下縁２Ｄ１に接当するように構成してあるので、これにより開閉蓋３の係合をさらにガタツキのない状態にできる。
さらに、開閉蓋体３を上部に開放した時には、開閉蓋体３のマスト挿入部３Ｆの頂部３Ｆ１が箱本体２のマスト部２Ｆの背面２Ｆ１に接当して、開閉蓋体３が箱本体２に対して略くの字状の後傾姿勢に維持され、箱本体２の上部を大きく開口させるように構成されているので、開閉蓋体３がぐらつくことなく箱本体２の上部を大きく開口維持されて、箱本体２へ収納される収容物の収納操作、取り出し操作が容易にできる。
【００２０】
本発明の開閉蓋付きの物品収納箱１のポイントとなる箱本体２の挿入空間部２Ｄと開閉蓋体３の舌状片３Ｄ構成、並びに箱本体２のマスト部２Ｆと開閉蓋体３のマスト挿入部３Ｆ構成は、前記に説明したとおり、箱本体２と開閉蓋体３を構成する部材を巧みに加工することにより現出させる形態となしており、構成が簡単でコスト安価にし、かつ頑丈で長年の使用に耐えることができ、ガタツキなく操作性の向上に寄与しているものである。
【産業上の利用可能性】
【００２１】
本発明の開閉蓋付きの物品収納箱１は、それぞれの物品の形態に合わせて加工提供し、殊に名刺ホルダーや印鑑入れなどに適するものであるが、これに限ることなく各種のカード類、宝石、煙草、ＣＤやＤＶＤディスクなどの小物物品を収納して携帯できる形態にしても良い。また、この開閉蓋付きの物品収納箱の箱本体と開閉蓋体を木製に構成したときには木のぬくもりの手触り感が楽しめて携帯できる利点を有するものであるが、木製にかえて樹脂製、金属製で構成されても良く、特に材質には拘らなく、また、加工形態も接着剤による接着構成、釘止め構成、型成形による仕上げ、プレスによる深絞り加工など限定されないものである。
【図面の簡単な説明】
【００２２】
【図１】本発明に係る開閉蓋付きの物品収納箱を示す全体斜視図である。
【図２】開閉蓋付きの物品収納箱を示す全体側面図である。
【図３】開閉蓋付きの物品収納箱の前面を示す全体正面図である。
【図４】開閉蓋付きの物品収納箱の後面を示す全体背面図である。
【図５】開閉蓋付きの物品収納箱の開閉蓋の開放途中を示す作用側面図である。
【図６】開閉蓋付きの物品収納箱の開閉蓋の全開放状態を示す作用側面図である。
【図７】物品収納箱の構成部材を分解して示す分解斜視図である。
【図８】開閉蓋の構成部材を分解して示す分解斜視図である。
【図９】開閉蓋と物品収納箱の係合部分を拡大して示す要部の拡大側面図である。
【符号の説明】
【００２３】
１  開閉蓋付きの物品収納箱
２  箱本体
２Ａ、２Ｂ  左右側板
２Ｃ  前部枠
２Ｄ  挿入空間部
２Ｅ  後部枠
２Ｆ  マスト部
２Ｇ  底面枠
２Ｈ  枢支ピン
２Ｉ棒状ピン
３  開閉蓋体
３Ａ、３Ｂ  左右側板
３Ｃ  前部枠
３Ｄ  舌状片
３Ｄ１  舌状片内側
３Ｄ２  陥没溝
３Ｅ  後部枠
３Ｆ  マスト挿入部
【図１】
2010131119.tif 000003
【図２】
2010131119.tif 000004
【図３】
2010131119.tif 000005
【図４】
2010131119.tif 000006
【図５】
2010131119.tif 000007
【図６】
2010131119.tif 000008
【図７】
2010131119.tif 000009
【図８】
2010131119.tif 000010
【図９】
2010131119.tif 000011
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
物品を収納する箱本体の上部に回動式の開閉蓋体を設けたものにおいて、該箱本体の左右に平行間隙で対向配置された左右側板の間の前面に位置して柱状の前部枠が該左右側板の前端面と面一にして設けられ、該前部枠を、左右側板の高さより低く凹陥部形態に構成して前部枠上面に一定深さ切り込みした挿入空間部を形成し、該箱本体の左右側板の間の後面に位置して柱状の後部枠が該左右側板の後端面と面一にして設けられ、該後部枠を左右側板の高さより高く延出構成して上部に一定高さ突出したマスト部を形成し、該箱本体の左右側板の底面に底面枠を配置して、箱本体の上部を開口した形態で、前部、後部、底部を密閉状に形成し、一方、前記開閉蓋体の左右に、前記箱本体の厚み幅と横長さを同一にして平行間隙で対向配置された左右側板の間の前面に位置して柱状の前部枠が該左右側板の前端面と面一にして設けられ、該前部枠を、左右側板より下方に長く垂下した舌状片に構成し、該開閉蓋体の左右側板の間の後面に位置して柱状の後部枠が該左右側板の後端面と面一にして設けられ、該後部枠を左右側板より短くして後部枠の下方にマスト挿入部を構成し、該開閉蓋体の左右側板の上面に天板枠を配置して、箱本体の下部を開口した形態で、前部、後部、上部を密閉状に形成し、これら箱本体と開閉蓋体を箱本体の後部に位置するマスト部の中途部に枢着する枢支ピンで開閉自在に結合し、該開閉蓋体の舌状片下部先端の両側隅部を削設して、箱本体の挿入空間部への嵌入操作を誘導できる構成にして前記箱本体の挿入空間部に該舌状片を隙間無く嵌入させる形態となし、箱本体前部の挿入空間部に開閉蓋体の舌状片内側の回動軌跡線上に横断位置させて棒状ピンを架設し、該棒状ピンに舌状片内側に形成した陥没溝を嵌脱自在に嵌入係止する構成にすると共に、前記陥没溝を形成するのに、該陥没溝の下側を緩傾斜状に構成し、箱本体側の棒状ピンを細径にし、開閉蓋体の舌状片内側の陥没溝が箱本体側の棒状ピンに係止した時に舌状片の下端が箱本体の挿入空間部の下縁に接近若しくは接当するように構成し、そして、箱本体の左右側板、前部枠、後部枠、底面枠と、開閉蓋体の左右側板、前部枠、後部枠、天板枠とを、それぞれ木製部材で構成して各部材を接着構成し、開閉蓋体の舌状片を箱本体前部の挿入空間部の棒状ピンに嵌入係止した時には、箱本体と開閉蓋体の外面が同一均平面となして段差がない平滑面を具現する構成にし、かつ開閉蓋体の後部下縁の隅部を削設して、開閉蓋体が開閉するとき箱本体の上縁に接当するのを防止する回動時の逃げ部に構成して開閉蓋体を上部に開放した時には開閉蓋体のマスト挿入部の頂部が箱本体のマスト部背面に接当して略くの字状の後傾姿勢に維持され箱本体の上部を大きく開口させるように構成したことを特徴とする開閉蓋付きの物品収納箱。
【手続補正２】
【補正対象書類名】明細書
【補正対象項目名】全文
【補正方法】変更
【補正の内容】
【発明の詳細な説明】
【技術分野】
【０００１】
本発明は、名刺や各種のカード類、印鑑、宝石、煙草、ＣＤやＤＶＤディスクなどの小物物品を収納して携帯できる、開閉蓋付きの物品収納箱に関するものである。
【背景技術】
【０００２】
従来の小物物品を収納する開閉蓋付きの物品収納箱として、例えば下記に示されるのが散見されるが、構成が簡単で、丈夫にして壊れにくく、携帯に便利で、開閉蓋の係止脱着が確実で、取扱いが容易である、というものにはなかなか遭遇しない状況であった。
【特許文献１】特開平１１−３０１６５９号公報「自動蓋開閉カートン」
【特許文献２】特開２０００−７９９５８号公報「開閉蓋付き容器」
【特許文献３】登録実用新案第３０２６５１９号公報「名刺収納箱」
【発明の開示】
【発明が解決しようとする課題】
【０００３】
特許文献１〜３のものは、それぞれに特徴を有するものであるが、構成が簡単で、丈夫にして壊れにくく、携帯携行に便利で、開閉蓋の係止脱着が確実で、取扱いが容易である、という点を満足する機能を有するものではなく、ここに解決課題を有するものである。
【課題を解決するための手段】
【０００４】
本発明は、前述の課題解決のために、物品を収納する箱本体の上部に回動式の開閉蓋体を設けたものにおいて、該箱本体の左右に平行間隙で対向配置された左右側板の間の前面に位置して柱状の前部枠が該左右側板の前端面と面一にして設けられ、該前部枠を、左右側板の高さより低く凹陥部形態に構成して前部枠上面に一定深さ切り込みした挿入空間部を形成し、該箱本体の左右側板の間の後面に位置して柱状の後部枠が該左右側板の後端面と面一にして設けられ、該後部枠を左右側板の高さより高く延出構成して上部に一定高さ突出したマスト部を形成し、該箱本体の左右側板の底面に底面枠を配置して、箱本体の上部を開口した形態で、前部、後部、底部を密閉状に形成し、一方、前記開閉蓋体の左右に、前記箱本体の厚み幅と横長さを同一にして平行間隙で対向配置された左右側板の間の前面に位置して柱状の前部枠が該左右側板の前端面と面一にして設けられ、該前部枠を、左右側板より下方に長く垂下した舌状片に構成し、該開閉蓋体の左右側板の間の後面に位置して柱状の後部枠が該左右側板の後端面と面一にして設けられ、該後部枠を左右側板より短くして後部枠の下方にマスト挿入部を構成し、該開閉蓋体の左右側板の上面に天板枠を配置して、箱本体の下部を開口した形態で、前部、後部、上部を密閉状に形成し、これら箱本体と開閉蓋体を箱本体の後部に位置するマスト部の中途部に枢着する枢支ピンで開閉自在に結合し、該開閉蓋体の舌状片下部先端の両側隅部を削設して、箱本体の挿入空間部への嵌入操作を誘導できる構成にして前記箱本体の挿入空間部に該舌状片を隙間無く嵌入させる形態となし、箱本体前部の挿入空間部に開閉蓋体の舌状片内側の回動軌跡線上に横断位置させて棒状ピンを架設し、該棒状ピンに舌状片内側に形成した陥没溝を嵌脱自在に嵌入係止する構成にすると共に、前記陥没溝を形成するのに、該陥没溝の下側を緩傾斜状に構成し、箱本体側の棒状ピンを細径にし、開閉蓋体の舌状片内側の陥没溝が箱本体側の棒状ピンに係止した時に舌状片の下端が箱本体の挿入空間部の下縁に接近若しくは接当するように構成し、そして、箱本体の左右側板、前部枠、後部枠、底面枠と、開閉蓋体の左右側板、前部枠、後部枠、天板枠とを、それぞれ木製部材で構成して各部材を接着構成し、開閉蓋体の舌状片を箱本体前部の挿入空間部の棒状ピンに嵌入係止した時には、箱本体と開閉蓋体の外面が同一均平面となして段差がない平滑面を具現する構成にし、かつ開閉蓋体の後部下縁の隅部を削設して、開閉蓋体が開閉するとき箱本体の上縁に接当するのを防止する回動時の逃げ部に構成して開閉蓋体を上部に開放した時には開閉蓋体のマスト挿入部の頂部が箱本体のマスト部背面に接当して略くの字状の後傾姿勢に維持され箱本体の上部を大きく開口させるように構成したことを特徴とする。
【０００５】
従って、箱本体と開閉蓋体の構成を簡単にして頑丈に構成でき、挿入空間部構成、マスト部構成、マスト挿入部構成、舌状片構成も、箱本体と開閉蓋体の前部枠と後部枠の構成部材を巧みに加工構成することにより無駄なく簡素にして構成できる。また、開閉蓋体の開閉操作と閉塞時の係止ロックをガタツキなく確実にでき、開放時の係止解除が操作性良く簡単にスムースにできる。
そして、箱本体と開閉蓋体の構成を簡単にして頑丈に構成でき、挿入空間部構成、マスト部構成、マスト挿入部構成、舌状片構成も柱状に形成された各々の構成部材を巧みに組み合わせ構成することにより無駄なく簡素にして構成できる。また、開閉蓋体の開閉操作と閉塞時の係止ロック、開放時の係止解除が操作性良く簡単にできる。そして、開放時には開閉蓋体を略くの字状の後傾姿勢に維持され箱本体の上部を大きく開口させるようにして、物品の出し入れを容易にできる利点がある。
また、箱本体および開閉蓋体の各構成部材を、それぞれ木製部材で構成して各部材を接着構成し、開閉蓋体の舌状片を箱本体前部の挿入空間部の棒状ピンに嵌入係止した時には、箱本体と開閉蓋体の外面が同一均平面となして段差がない平滑面を具現する構成にして、構成簡単・頑丈で軽くて木製による木のぬくもりの手触り感が楽しめて携帯できる利点を有する手触りの良い物品収納箱が提供できるものである。
【発明の効果】
【０００６】
本発明によれば、箱本体と開閉蓋体の構成を簡単にして頑丈に構成でき、挿入空間部構成、マスト部構成、マスト挿入部構成、舌状片構成も柱状に形成された各々の構成部材を巧みに加工することにより無駄なく簡素にして構成できる。また、開閉蓋体の開閉操作と閉塞時の係止ロック、開放時の係止解除が操作性良く簡単にできる。そして、開放時には開閉蓋体を略くの字状の後傾姿勢に維持され箱本体の上部を大きく開口させるようにして、物品の出し入れを容易にできる利点がある。
また、木製部材で構成することにより構成簡単・頑丈で軽くて手触りの良い物品収納箱が提供できるものである。
さらに、開閉蓋の開閉操作、閉塞時の係止ロック、解放時の係止解除がスムースにできるものである。
【発明を実施するための最良の形態】
【０００７】
以下、実施例に関する図面に基づいて本発明を詳細に説明する。
図面に示す１は開閉蓋付きの物品収納箱であり、該開閉蓋付きの物品収納箱１は、木質製の板部材で構成され、物品を収納する箱本体２の上部に回動式の開閉蓋体３を設けたものである。
該箱本体２の左右に平板状の左右側板２Ａ、２Ｂが平行間隙で対向配置されており、該左右側板２Ａ、２Ｂの間の前面に位置して柱状の前部枠２Ｃが左右側板２Ａ、２Ｂの前端面と面一にして設けられ、かつ柱状の前部枠２Ｃの上部が左右側板２Ａ、２Ｂの高さより低く凹陥部形態に構成されて前部枠２Ｃの上面に一定深さ切り込みした挿入空間部２Ｄを形成し、該箱本体２の左右側板２Ａ、２Ｂの間の後面に位置して柱状の後部枠２Ｅが左右側板２Ａ、２Ｂの後端面と面一にして設けられ、該柱状の後部枠２Ｅを左右側板２Ａ、２Ｂの高さより高く延出構成して上部に一定高さ突出したマスト部２Ｆを形成し、該箱本体２の左右側板の底面に位置する桁状の底面枠２Ｇを左右側板２Ａ、２Ｂの底縁と面一にした状態で、前部枠２Ｃ下端と後部枠２Ｅ下端の間に挿入配置して、箱本体の上部を開口した形態で、前部、後部、底部を左右側板２Ａ、２Ｂの周縁と面一にしてこれら前部枠２Ｃ、後部枠２Ｅ、底面枠２Ｇで密閉状に形成する。
【０００８】
一方、前記開閉蓋体３の左右に、前記箱本体２の厚み幅と横長さを同一にして平行間隙で対向配置された左右側板３Ａ、３Ｂが設けられており、該左右側板３Ａ、３Ｂの前面に位置して柱状の前部枠３Ｃが左右側板３Ａ、３Ｂの前端面と面一にして設けられ、かつ柱状の前部枠３Ｃを、左右側板３Ａ、３Ｂより下方に長く垂下した舌状片３Ｄに構成して、前記箱本体２の挿入空間部２Ｄに該舌状片３Ｄを嵌入させる形態となし、該開閉蓋体３の左右側板３Ａ、３Ｂの後面に位置して柱状の後部枠３Ｅが左右側板３Ａ、３Ｂの後端面と面一にして設けられ、該柱状の後部枠３Ｅの下部を左右側板３Ａ、３Ｂより短くして後部枠３Ｅの下方にマスト挿入部３Ｆを構成し、該開閉蓋体３の左右側板３Ａ、３Ｂの上面に位置する桁状の天板枠３Ｇを左右側板３Ａ、３Ｂの上縁と面一にした状態で、前部枠３Ｃ上端と後部枠３Ｄ上端の間に挿入配置して、箱本体３の下部を開口した形態で、前部、後部、上部を左右側板３Ａ、３Ｂの周縁と面一にしてこれら前部枠３Ｃ、後部枠３Ｅ、底面枠３Ｇで密閉状に形成する。
【０００９】
そして、これら箱本体２と開閉蓋体３を箱本体２の後部に位置するマスト部２Ｆの中途部に、開閉蓋体３のマスト挿入部３Ｆを嵌合した状態にして箱本体２と開閉蓋体３に穿設した孔を貫通して枢着する竹製または金属製の枢支ピン２Ｈで開閉自在に結合する。
また、箱本体２前部の挿入空間部２Ｄに開閉蓋体３の舌状片３Ｄ内側３Ｄ１の回動軌跡線上に横断位置させて竹製または金属製の棒状ピン２Ｉを箱本体２に穿設した孔に貫通して架設し、該棒状ピン２Ｉに舌状片内側３Ｄ１に形成した陥没溝３Ｄ２を嵌脱自在に嵌入係止する構成にしてある。
さらに、開閉蓋体３を上部に開放した時には、開閉蓋体３のマスト挿入部３Ｆの頂部３Ｆ１が箱本体２のマスト部２Ｆの背面２Ｆ１に接当して、開閉蓋体３が箱本体２に対して略くの字状の後傾姿勢に維持され、箱本体２の上部を大きく開口させるように構成されている。
【００１０】
箱本体２の左右側板２Ａ、２Ｂ、前部枠２Ｃ、後部枠２Ｅ、底面枠２Ｇと、開閉蓋体３の左右側板３Ａ、３Ｂ、前部枠３Ｃ、後部枠３Ｅ、天板枠３Ｇの材質は、それぞれ木製部材で構成してあり、各部材を接着構成し、開閉蓋体２の舌状片３Ｄを箱本体２前部の挿入空間部２Ｄの棒状ピン２Ｉに嵌入係止した時には、箱本体２と開閉蓋体３の外面が同一均平面となして段差がない平滑面を具現するように構成してある。
これにより開閉蓋付きの物品収納箱１が木質製の板部材で構成されていると、木製のやわらかな感触と段差のない平滑な状態で非常に手触り感が良好になる。
開閉蓋体３の後部下縁の隅部３Ｘを削設して、開閉蓋体３が開閉するとき箱本体２の上縁に接当するのを防止する回動時の逃げ部に構成してある。
開閉蓋体３の舌状片３Ｄ下部先端３Ｄ３の両側隅部３Ｄ４を削設して、箱本体２の挿入空間部２Ｄへの嵌入操作を誘導できる先端が先細となる傾斜構成にしてある。
開閉蓋体３の舌状片内側３Ｄ１に形成した陥没溝３Ｄ２を形成するのに、該陥没溝３Ｄ２の下側の段部３Ｄ２１を緩傾斜状に構成し、箱本体２側の棒状ピン２Ｉを陥没溝３Ｄ２に係合できる程度の細径にしてある。
開閉蓋体３の舌状片内側３Ｄ１の陥没溝３Ｄ２が箱本体２側の棒状ピン２Ｉに係止した時に舌状片３Ｄの下端３Ｄ３が箱本体２の挿入空間部２Ｄの下縁２Ｄ１に接近若しくは接当するように構成してある。これにより開閉蓋３の係合をガタツキのない状態にできる。
【実施例１】
【００１１】
上記のように、本発明の開閉蓋付きの物品収納箱１は、物品を収納する箱本体２の上部に回動式の開閉蓋体３を設けたものであり、開閉蓋体３の舌状片内側３Ｄ１の陥没溝３Ｄ２と箱本体２側の棒状ピン２Ｉとの弾性的な係脱作用により格別の蓋鍵止め構造がなくてもワンタッチで開閉蓋の開閉操作ができるものである。
開閉蓋体３の回動は、開閉蓋体３を箱本体２の後部に位置するマスト部２Ｆの中途部に、開閉蓋体３のマスト挿入部３Ｆを嵌合した状態にして箱本体２と開閉蓋体３を貫通して枢着する枢支ピン２Ｈで開閉自在に結合してあるので、箱本体２のマスト部２Ｆと開閉蓋体３のマスト挿入部３Ｆとの面接触を維持して回動するので横ガタツキのない状態で回動できる。
また、箱本体２前部の挿入空間部２Ｄに開閉蓋体３の舌状片３Ｄ内側３Ｄ１の回動軌跡線上に横断位置させて棒状ピン２Ｉを架設し、該棒状ピン２Ｉに舌状片内側３Ｄ１に形成した陥没溝３Ｄ２を嵌脱自在に嵌入係止する構成にしてあるので、舌状片３Ｄの陥没溝３Ｄ２を棒状ピン２Ｉに対して両者が弾性的に係合して止める時にパチッというロック音を発して軽快に止めることができる。また、解除するときには一方の手で箱本体２の横方向を把持して、他方の手で開閉蓋体３の舌状片３Ｄ近くの左右側板３Ａ、３Ｂを掴んで上方に引っ張れば容易に開放操作できる。あるいは他方の手で箱本体２を縦方向に把持して、一方の親指で開閉蓋体３の舌状片３Ｄ上方の前部枠３Ｃを押仕上げると容易に開放操作できる。
【００１２】
開閉蓋体３の舌状片内側３Ｄ１の陥没溝３Ｄ２が箱本体２側の棒状ピン２Ｉに係止した時に舌状片３Ｄの下端３Ｄ３が箱本体２の挿入空間部２Ｄの下縁２Ｄ１に接当するように構成してあるので、これにより開閉蓋３の係合をさらにガタツキのない状態にできる。
さらに、開閉蓋体３を上部に開放した時には、開閉蓋体３のマスト挿入部３Ｆの頂部３Ｆ１が箱本体２のマスト部２Ｆの背面２Ｆ１に接当して、開閉蓋体３が箱本体２に対して略くの字状の後傾姿勢に維持され、箱本体２の上部を大きく開口させるように構成されているので、開閉蓋体３がぐらつくことなく箱本体２の上部を大きく開口維持されて、箱本体２へ収納される収容物の収納操作、取り出し操作が容易にできる。
【００１３】
本発明の開閉蓋付きの物品収納箱１のポイントとなる箱本体２の挿入空間部２Ｄと開閉蓋体３の舌状片３Ｄ構成、並びに箱本体２のマスト部２Ｆと開閉蓋体３のマスト挿入部３Ｆ構成は、前記に説明したとおり、箱本体２と開閉蓋体３を構成する柱状に形成された各々の構成部材を巧みに加工することにより現出させる形態となしており、構成が簡単でコスト安価にし、かつ頑丈で長年の使用に耐えることができ、ガタツキなく操作性の向上に寄与しているものである。
【産業上の利用可能性】
【００１４】
本発明の開閉蓋付きの物品収納箱１は、それぞれの物品の形態に合わせて加工提供し、殊に名刺ホルダーや印鑑入れなどに適するものであるが、これに限ることなく各種のカード類、宝石、煙草、ＣＤやＤＶＤディスクなどの小物物品を収納して携帯できる形態にしても良い。
【図面の簡単な説明】
【００１５】
【図１】本発明に係る開閉蓋付きの物品収納箱を示す全体斜視図である。
【図２】開閉蓋付きの物品収納箱を示す全体側面図である。
【図３】開閉蓋付きの物品収納箱の前面を示す全体正面図である。
【図４】開閉蓋付きの物品収納箱の後面を示す全体背面図である。
【図５】開閉蓋付きの物品収納箱の開閉蓋の開放途中を示す作用側面図である。
【図６】開閉蓋付きの物品収納箱の開閉蓋の全開放状態を示す作用側面図である。
【図７】物品収納箱の構成部材を分解して示す分解斜視図である。
【図８】開閉蓋の構成部材を分解して示す分解斜視図である。
【図９】開閉蓋と物品収納箱の係合部分を拡大して示す要部の拡大側面図である。
【符号の説明】
【００１６】
１  開閉蓋付きの物品収納箱
２  箱本体
２Ａ、２Ｂ  左右側板
２Ｃ  前部枠
２Ｄ  挿入空間部
２Ｅ  後部枠
２Ｆ  マスト部
２Ｇ  底面枠
２Ｈ  枢支ピン
２Ｉ棒状ピン
３  開閉蓋体
３Ａ、３Ｂ  左右側板
３Ｃ  前部枠
３Ｄ  舌状片
３Ｄ１  舌状片内側
３Ｄ２  陥没溝
３Ｅ  後部枠
３Ｆ  マスト挿入部